(57)【要約】【課題】  従来技術は、踏台上に人が立って使用するもので、足の悪い方や高齢者の方は使用できない。また、ベッド板を設けていないためその体を逆さにすることもできず、効果が薄いものである。さらに、シーソー運動も量的に少なく、バランス感覚を養う程度である。さらにまた、座って使用するものであるが、水平回転のみの形態であり、ベッド板を設け、垂直方向に回転する機能を設けていない。さらに、ベッド板がフラットしかできないものであり、多様性として体をくの字や逆くの字にしての脳だけではなく体（体細胞）への刺激が少ないものである。【解決手段】  支持台に、回転軸にてシーソー状に形成し、垂直方向に可動可能なベッドを設けてなる運動神経等活性化訓練装置において、ベッド板を中央付近にて連結し、折れ角度を自由に設定できる角度調整具を設けたこと。【選択図】図１
2014151173.tif 000002
【特許請求の範囲】
【請求項１】
支持台に、回転軸にてシーソー状に形成し、垂直方向に可動可能なベッドを設けてなる運動神経等活性化訓練装置において、ベッド板を中央付近にて連結し、折れ角度を自由に設定できる角度調整具を設けたことを特徴とする運動神経等活性化訓練装置。
【請求項２】
支持台に、水平方向に回転させる回転台を設けてなることを特徴とする請求項１記載の運動神経等活性化訓練装置。
【請求項３】
ベッド板の長手方向軸心に、ベッド板を左右に回転させるべく、支持枠に左右回転具及び前後移動具を設けてなることを特徴とする請求項１又は２記載の運動神経等活性化訓練装置。
【請求項４】
ベッド板を垂直方向及び／又は水平方向にモーター等にて作動させる作動を設けてなることを特徴とする請求項１、２又は３記載の運動神経等活性化訓練装置。
【請求項５】
ベッド板に、取っ手、ベルト、足受部の少なくとも１つを設けてなることを特徴とする請求項１、２、３、又は４記載の運動神経等活性化訓練装置。
【請求項６】
足受部に上下調整可能な調整具を設けてなることを特徴とする請求項５記載の運動神経等活性化訓練装置。
【発明の詳細な説明】
【技術分野】
【０００１】  本発明は、運動神経（反射神経）、自律神経の刺激等を行い軽度の認知症の改善等の主に脳の活性化を行うことのできる運動神経等活性化訓練装置に関するものである。
【背景技術】
【０００２】  従来の技術として、脳・運動神経および筋力訓練において、幅広く利用できる訓練装置を提供するものである。脳・運動神経および筋力訓練装置は、架台上に３６０度各方向に自由に動く自由架台が配置され、その上には踏台が配置されていて、自由架台と踏台の間には、球体が挟めるよう、自由架台上側および踏台下側中心部に夫々に凹みを持ち、自由架台と球体と踏台とはユニバーサルボルトにて留められ、自由架台に対し踏台は、中心部を基点に３６０度各方向にシーソー運動ができるよう、組み立てられているため、踏台上に人が立つと、非常に不安定な状態に身を置くことになる。この不安定な状態を安定した状態にする努力のため、全身を使って努力する過程で、少しの重心移動で素早く自由架台が３６０度各方向に移動すると共に、踏台も体重移動のため３６０度各方向にシーソー運動を起こす。この一連のバランスをとる動作は、脳からの運動神経の命令を受けて、体内の各筋力が運動を興す。この運動神経と体内各筋力の総合運動は、屋内外で一台の装置で安全に実施できることを特徴とする。脳・運動神経および筋力訓練装置がある。（特許文献１参照）
また、認知症防止の器具として、基台と該基台上で回転自在な回転座盤とよりなり、基台には正逆転が一対となって回転自在でその回転数と回転速度を調節自在とした電動機を設置し、その電動機の動力を上記回転座盤に伝動自在とし、回転座盤には両脇に落下防止取っ手を設けた健康増進器がある。（特許文献２参照）【０００３】  また、別の従来技術として、往復動する前輪受台を備えたパレットをリフトで搬送して、格納棚と入出庫通路に面した入出庫位置との間で移動させるようにしたバイク駐輪場の駐輪装置において、パレットに複数の前輪受台を並列に配設し、各々の前輪受台を、左右に隙間を設けて分割した一対のブロックで構成すると共に、該一対のブロックの斜動手段を設けて、該一対のブロックを斜め運動させるための案内部材と、該一対のブロックを復帰させるためのバネ部材とで、該一対のブロックをバイクの前輪の自重により、Ｖ字状に斜動させるようにしたことを特徴とするバイク駐輪装置がある。（特許文献３参照）【０００４】    さらに、本発明者が以前出願している回転支持台に、回転軸にてシーソー状に形成し、垂直方向に回転可能なベッド板を設けると共に、回転支持台を水平方向に回転させる回転台を設けてなることを特徴とする運動神経等活性化訓練装置。【０００５】
【特許文献１】  特開２００４−９７７３７号公報
【特許文献２】  実用新案登録第３１１５０４０号公報
【特許文献３】  特開２００７−３０１３７３号公報
【発明の概要】
【発明が解決しようとする課題】
【０００６】  上記前者においては、踏台上に人が立って使用するもので、足の悪い方や高齢者の方は使用できない。
また、ベッド板を設けていないためその体を逆さにすることもできず、効果が薄いものである。
さらに、シーソー運動も量的に少なく、バランス感覚を養う程度である。【０００７】    上記中者においても、座って使用するものであるが、水平回転のみの形態であり、ベッド板を設け、垂直方向に回転する機能を設けていない。【０００８】  上記後者は、ベッド板がフラットしかできないものであり、多様性として体をくの字や逆くの字にしての脳だけではなく体（神経・筋肉）への刺激が少ないものである。【０００９】  本発明は、このような従来の構成が有していた問題を解決しようとするもので、ベッド板を垂直方向にシーソー状に動かせると共に、回転運動ができ、かつ回転支持台を水平方向に回転でき、かつ、ベッド板を折り曲げ手、所要の角度に設定することにより、垂直・水平回転運動にて、より一層運動神経（反射神経）、自律神経等に刺激を与えることで運動能力のアップや軽度の認知症の改善等、主に脳活性化に有効な運動神経等活性化訓練装置を提供するものである。
【課題を解決するための手段】
【００１０】    本発明は上記目的を達成するために、支持台に、回転軸にてシーソー状に形成し、垂直方向に可動可能なベッドを設けてなる運動神経等活性化訓練装置において、ベッド板を中央付近にて連結し、折れ角度を自由に設定できる角度調整具を設けたこと。支持台に、水平方向に回転させる回転台を設けてなること。ベッド板の長手方向軸心に、ベッド板を左右に回転させるべく、支持枠に左右回転具及び前後移動具を設けてなること。ベッド板を垂直方向及び／又は水平方向にモーター等にて作動させる作動を設けてなること。ベッド板に、取っ手、ベルト、足受部の少なくとも１つを設け、調整具を設けてなること。
【発明の効果】
【００１１】１、角度調整具により、ベッド板を中央付近にくの字（逆くの字）にすることにより、使    用者がくの字（逆くの字）の体制で、垂直回転・回転台による水平回転・左右回転具    による左右回転を複合的に行うことにより、日常で体験できない動きに対して、脳が    正常な位置に戻そうとする神経を活性化することができ、運動神経等を向上させるこ    とができる。
また、脳は各部位が相互につながって神経ネットワークを形成し、しかもその繋がり    は必要な情報の伝達を絶えずかつ瞬時的に繰り返す。特に、快の感情は海馬と密接に    つながる扁桃体を刺激して神経ネットワークを密にすると考えれば、日常生活で味わ    えない空間での運動が、頭頂葉の空間定位領域を刺激し、認知症にも有効である。
２、作動具により人力ではなく、電力により作業を行うことができ、作業者の負担を軽減    できる。
３、ベッド板に取っ手やベッド・足受部を設けることにより、安全に使用者の運動をカバ    ーできる。
４．調整具にて、足受部の位置を身長に合わせて調整できる。
【図面の簡単な説明】
【００１２】
【図１】本発明の第１実施例の運動神経等活性化訓練装置の側面図。
【図２】本発明の第１実施例の運動神経等活性化訓練装置の角度調整具の開放拡大図。
【図３】本発明の第１実施例の運動神経等活性化訓練装置の角度調整具の連結拡大図。
【図４】本発明の第１実施例の運動神経等活性化訓練装置の正面図。
【図５】本発明の第１実施例の運動神経等活性化訓練装置の使用状態側面図。
【図６】本発明の第１実施例の運動神経等活性化訓練装置の使用状態正面図。
【図７】本発明の第２実施例の運動神経等活性化訓練装置の平面図。
【図８】本発明の第２実施例の運動神経等活性化訓練装置の側面図。
【図９】本発明の第２実施例の運動神経等活性化訓練装置の正面図。
【発明を実施するための形態】
【００１３】  １は、運動神経等活性化訓練装置。
２は、側面台形状に形成すると共に、正面略Ｕ字形に形成してなる支持台である。
３は、回転軸３ａにてシーソ状に形成し、垂直方向に可動（回転）可能な２つのベッド  板３ｂ・３ｂを中央付近にて連結してなるベッドである。
なお、下方のベッド板３ｂの下端に足受部３ｃを設けてあり、溝３ｃ１と蝶ボルト３ｃ  ２とからなる調整具３ｃ３により調整する。
また、上方のベッド板３ｂの上方に取っ手３ｄ・３ｄを設けてある。
４は、折れ角度を自由に設定できるベッド板３ｂ・３ｂ間側面に設けた連結板４ａに連  結孔４ｂ−−を穿設し、１箇所に連結軸３ａに対応する切欠部４ｃを形設し、軸支４ｄ  してなる角度調整具であり、ベッド板３ｂ・３ｂ側面に連結孔４ｂ−−に対応するボル  トＢ−−を突設してあり、ナットＮにて所要の角度に固定するものである。
５は、支持台２の下方に設けた回転台で、水平方向に支持台２を回転させるものである  。
６は、必要に応じて設けた伸縮する腰パットである。（図１〜図４）
【００１４】  運動神経等活性化訓練装置１の使用例を説明する。
まず、ベッド３のベッド板３ｂ・３ｂの角度を決めるべく、角度調整具４の連結孔４ｂ−−に所要のボルトＢを挿入し、ナットＮにて固定し、垂直方向に位置させる。
つぎに、使用者Ｓは前向き（後向きでもよい）になり、足ＡＳを調整具３ｃ３にて調整した足受部３ｃに置き、手Ｔで取っ手３ｄを握み、ベルトＢＴ・ＢＴで足首や腰部を固定する。（この時、使用者Ｓはくの字形になっている）
この状態で、作動者（介護者やスポーツインストラクター等）（図示せず）は、使用者Ｓと相談しながら、どのような動きをするかを決める。
例えば、ベッド３をシーソー状に動かしたり、１回転させてもよい。
また、回転台５にて支持台２を回転させてもよい。（図５・図６）
【００１５】  つぎに、第２実施例の運動神経等活性化訓練装置について説明する。
２１は、運動神経等活性化訓練装置である。
２２は、側面台形状に形成してなる相対向して設けてなる支持台である。
２３は、方形状に形成した支持枠２３ａの中心位置に、中央に設けた支持軸２３ｂ１にて連結してなる２枚のベッド板２３ｂの端部に軸支２３ｂ２した保持部２３ｂ３を設けてなるベッドである。
なお、一方のベッド板２３ｂの上部に取っ手２３ｃを、他方のベッド板２３ｂの下端に溝２３ｄ１と蝶ボルト２３ｄ２とからなる調整具２３ｄ３により調整する足受部２３ｄを設けてある。
２４は、ベッド板２３ｂ・２３ｂをくの字形Ｋや逆くの字形Ｋ１にすべく、支持枠２３ａの右側に、移動軸２４ａの先端に回動自在に形成すべく受部２４ｂを設けると共に、後端にハンドル２４ｃを設けてなる前後移動具である。
２５は、支持枠２３ａの左側に、回転軸２５ａの先端を保持部２３ｂ３に固定し、後端にハンドル２５ｂを設けた回転具である。（図７〜図９）
【００１６】  この運動神経等活性化訓練装置２１の使用例について説明する。
例えば、ベッド板２３ｂ・２３ｂをくの字形Ｋに形成したり、逆くの字形Ｋ１に形成するには、前後移動具２４のハンドル２４ｃを回転させ、前方に移動することにより形成できる。
つまり、移動長さにより角度ＫＤを自由に設定できる。
また、使用者（図示せず）の身長に合わせて調整具２３ｄ３にて足受部２３ｄを調整する。
この状態で、使用者（図示せず）がベッド板２３ｂ・２３ｂに横になり、前記と同様にベルト（図示せず）にて固定（安定）させる。
つづいて、回転具２５のハンドル２５ｂを左右に回転したり、１回転させたりシーソー状に動かして使用者に刺激を与えるもので、必要に応じて前期回転台５を設けてもよい。
また、支持台２２を支持台２のように大きくし、ベッド２３を斜状に固定し、垂直方向に回転することも一考である。
（図７〜図９）
【００１７】  上記各実施例において、各部位の材質は特に限定するものではない。
また、角度調整具・回転台・回転具・前後移動具等は、同様な機能を有するものであれば特に限定しない。
さらに、回転軸や移動軸にモーター等による作動具を設けてもよい。
【符号の説明】
【００１８】１−−−運動神経等活性化訓練装置
２−−−支持台
３−−−ベッド
４−−−角度調整具
５−−−回転台
６−−−腰パット
【図１】
2014151173.tif 000003
【図２】
2014151173.tif 000004
【図３】
2014151173.tif 000005
【図４】
2014151173.tif 000006
【図５】
2014151173.tif 000007
【図６】
2014151173.tif 000008
【図７】
2014151173.tif 000009
【図８】
2014151173.tif 000010
【図９】
2014151173.tif 000011